(57)【要約】【課題】簡単な操作で粒状物を所定量ずつ取り出すことが可能な粒状物収納容器を提供する。【解決手段】複数の粒状物２を収納可能な収納空間Ｓと収納空間Ｓに連なる取出し口１３とを備えた容器本体１０と、容器本体１０の内部に装着され、収納空間Ｓに収納されている粒状物２を取出し口１３に案内する案内部材２０と、案内部材２０に一体に設けられ、粒状物２を粒状物２の少なくとも一部が容器本体１０の外部に露出する状態に保持する第１保持部３０と、案内部材２０に一体に設けられ、第１保持部３０よりも収納空間Ｓの側に配置されて第１保持部３０との間に所定量の粒状物２を保持する第２保持部４０と、を有することを特徴とする粒状物収納容器１。【選択図】図１
2020138791.tif 000002
【特許請求の範囲】
【請求項１】
複数の粒状物を収納可能な収納空間と前記収納空間に連なる取出し口とを備えた容器本体と、
前記容器本体の内部に装着され、前記収納空間に収納されている前記粒状物を前記取出し口に案内する案内部材と、
前記案内部材に一体に設けられ、前記粒状物を該粒状物の少なくとも一部が前記容器本体の外部に露出する状態に保持する第１保持部と、
前記案内部材に一体に設けられ、前記第１保持部よりも前記収納空間の側に配置されて前記第１保持部との間に所定量の前記粒状物を保持する第２保持部と、を有することを特徴とする粒状物収納容器。
【請求項２】
前記第１保持部と前記第２保持部との間に１つの前記粒状物のみを保持可能である、請求項１に記載の粒状物収納容器。
【請求項３】
前記第１保持部が、円弧状の保持壁と該保持壁の両側に連なる一対の横壁とを備え、扁平円形状の前記粒状物を該粒状物の一部を外部に露出させた状態で保持可能なハーフカップ状に構成されている、請求項１または２に記載の粒状物収納容器。
【請求項４】
前記案内部材が、前記第１保持部と前記第２保持部との間に、前記粒状物を前記第１保持部に保持された状態に係止する段差部を備えている、請求項１〜３の何れか１項に記載の粒状物収納容器。
【請求項５】
前記案内部材に、前記収納空間に収納されている前記粒状物を前記取出し口に向けて案内する案内壁が設けられている、請求項１〜４の何れか１項に記載の粒状物収納容器。
【請求項６】
前記案内部材が、前記容器本体の内側に固定される枠体と、前記枠体にヒンジを介して一体に連結された回動体とを有し、
前記第１保持部が前記枠体に一体に設けられ、
前記第２保持部が前記回動体に一体に設けられている、請求項１〜５の何れか１項に記載の粒状物収納容器。
【請求項７】
前記第１保持部を覆うとともに前記取出し口を閉塞する蓋体を備える、請求項１〜６の何れか１項に記載の粒状物収納容器。
【発明の詳細な説明】
【技術分野】
【０００１】
本発明は、粒状物を収納する粒状物収納容器に関する。
【背景技術】
【０００２】
例えば粒状の菓子、薬剤、栄養剤及び美容剤等の粒状物を内容物として収納する粒状物収納容器として、容器から１度に所定量の粒状物のみを取り出すことができるようにした定量取り出しタイプのものが知られている。
【０００３】
例えば特許文献１には、粒状物を収納する容器本体の取出し口に計量凹部を連ねて設け、蓋を閉じた状態で容器を傾けて計量凹部に所定量の粒状物を導入させ、次いで蓋を開いて計量凹部を下方に向けることで、容器から所定量の粒状物のみを容易に取り出すことができるようにした粒状物収納容器が記載されている。
【先行技術文献】
【特許文献】
【０００４】
【特許文献１】特開２００４−１８０７２６号公報
【発明の概要】
【発明が解決しようとする課題】
【０００５】
しかしながら、上記特許文献１の容器は、容器本体の内部と計量凹部とが連通した構成であるので、計量された粒状物を取り出す際に、計量凹部が下方となるように容器が傾くと、計量凹部を通して容器本体の内部から所定量以上の数の粒状物が連続して排出される虞がある。そのため、粒状物を所定量ずつ取り出す操作が煩雑であるという問題点があった。
【０００６】
本発明は、このような問題点を解決することを課題とするものであり、その目的は、簡単な操作で粒状物を所定量ずつ取り出すことが可能な粒状物収納容器を提供することにある。
【課題を解決するための手段】
【０００７】
本発明の粒状物収納容器は、複数の粒状物を収納可能な収納空間と前記収納空間に連なる取出し口とを備えた容器本体と、前記容器本体の内部に装着され、前記収納空間に収納されている前記粒状物を前記取出し口に案内する案内部材と、前記案内部材に一体に設けられ、前記粒状物を該粒状物の少なくとも一部が前記容器本体の外部に露出する状態に保持する第１保持部と、前記案内部材に一体に設けられ、前記第１保持部よりも前記収納空間の側に配置されて前記第１保持部との間に所定量の前記粒状物を保持する第２保持部と、を有することを特徴とする。
【０００８】
本発明の粒状物収納容器は、上記構成において、前記第１保持部と前記第２保持部との間に１つの前記粒状物のみを保持可能であるのが好ましい。
【０００９】
本発明の粒状物収納容器は、上記構成において、前記第１保持部が、円弧状の保持壁と該保持壁の両側に連なる一対の横壁とを備え、扁平円形状の前記粒状物を該粒状物の一部を外部に露出させた状態で保持可能なハーフカップ状に構成されているのが好ましい。
【００１０】
本発明の粒状物収納容器は、上記構成において、前記案内部材が、前記第１保持部と前記第２保持部との間に、前記粒状物を前記第１保持部に保持された状態に係止する段差部を備えているのが好ましい。
【００１１】
本発明の粒状物収納容器は、上記構成において、前記案内部材に、前記収納空間に収納されている前記粒状物を前記取出し口に向けて案内する案内壁が設けられているのが好ましい。
【００１２】
本発明の粒状物収納容器は、上記構成において、前記案内部材が、前記容器本体の内側に固定される枠体と、前記枠体にヒンジを介して一体に連結された回動体とを有し、前記第１保持部が前記枠体に一体に設けられ、前記第２保持部が前記回動体に一体に設けられているのが好ましい。
【００１３】
本発明の粒状物収納容器は、上記構成において、前記第１保持部を覆うとともに前記取出し口を閉塞する蓋体を備えるのが好ましい。
【発明の効果】
【００１４】
本発明によれば、簡単な操作で粒状物を所定量ずつ取り出すことが可能な粒状物収納容器を提供することができる。
【図面の簡単な説明】
【００１５】
【図１】本発明の一実施の形態の粒状物収納容器の正面視での断面図である。
【図２】図１に示す粒状物収納容器の側面視での半断面図である。
【図３】蓋体を開いた状態の粒状物収納容器の平面図である。
【図４】案内部材を形成するための射出成形品の断面図である。
【図５】粒状物を取り出すために取出し口を下方に向けた傾斜姿勢とした状態の粒状物収納容器の断面図である。
【図６】図５に示す傾斜姿勢のまま蓋体を開いた状態の粒状物収納容器の断面図である。
【図７】第１保持部に粒状物を保持した状態のまま取出し口を上方に向けた傾斜姿勢とした粒状物収納容器の断面図である。
【発明を実施するための形態】
【００１６】
以下、本発明の一実施の形態の粒状物収納容器１について、図面を参照しつつ詳細に例示説明する。
【００１７】
粒状物収納容器１は、複数の粒状物２を収納するとともに粒状物２を所定量ずつ取り出すことができるものである。本実施の形態においては、粒状物収納容器１は、一対の円形の扁平面２ａと、一対の扁平面２ａを連ねる円環状の外周面２ｂとを備えた偏平円形状の粒状物２を収納するとともに、粒状物２を１つずつ取り出すことができる構成となっている。
【００１８】
図１〜図３に示すように、粒状物収納容器１は容器本体１０を有している。容器本体１０は、本体部１１とキャップ体１２とを有している。
【００１９】
本体部１１は、矩形板状の正面壁１１ａ、正面壁１１ａに対向する矩形板状の背面壁１１ｂ、正面壁１１ａ及び背面壁１１ｂよりも細長い矩形板状となる一対の側壁１１ｃ及び底壁１１ｄを備えた偏平な有底角筒状に形成されており、その内部は複数の粒状物２を収納可能な収納空間Ｓとなっている。なお、図１においては、便宜上、１つの粒状物２にのみ符号を付してある。
【００２０】
キャップ体１２は、本体部１１の形状に対応した偏平な有頂角筒状に形成されており、角筒状の嵌合部１２ａにおいて本体部１１の開口端に嵌合固定されて本体部１１の開口を閉塞している。
【００２１】
本体部１１の底壁１１ｄと平行となるキャップ体１２の頂壁１２ｂには、収納空間Ｓに連なる取出し口１３が設けられている。取出し口１３は、側壁１１ｃに垂直な方向に向けた幅が粒状物２の扁平面２ａの直径よりも大きく、正面壁１１ａないし背面壁１１ｂに垂直な方向に向けた厚みが粒状物２の一対の扁平面２ａの間隔より大きい矩形形状となっており、収納空間Ｓに収納されている粒状物２を、そのままの姿勢で外部に向けて排出することができる。なお、取出し口１３は、粒状物２を１つずつ通過可能な大きさとなっている。
【００２２】
容器本体１０の内部には、案内部材２０が装着されている。案内部材２０は、収納空間Ｓに収納されている粒状物２を取出し口１３に案内するものである。案内部材２０が設けられることにより、容器本体１０を取出し口１３が下方を向く傾斜姿勢とすることで、収納空間Ｓに収納されている粒状物２を確実に取出し口１３にまで導いて取出し口１３から外部に排出させることができる。
【００２３】
案内部材２０は角筒状部分を有する枠体２１を備えており、この枠体２１においてキャップ体１２の嵌合部１２ａの内側にアンダーカット係合により固定保持されている。
【００２４】
枠体２１は頂壁１２ｂに対して間隔を空けて対向する隔壁２２を備えており、この隔壁２２には取出し口１３に連なる開孔２３が設けられている。開孔２３は粒状物２が通過可能な大きさに構成されている。
【００２５】
また、枠体２１の角筒状の部分の正面壁１１ａ及び背面壁１１ｂに対応する内面には、それぞれ底壁１１ｄに垂直な方向に沿って延び、互いに平行となって等間隔に並ぶ複数のリブ２１ａが一体に設けられている。互いに対向する正面壁１１ａ側のリブ２１ａと背面壁１１ｂ側のリブ２１ａの間隔は、粒状物２の扁平面２ａの直径（外周面２ｂの外径）よりも小さく、且つ、粒状物２の一対の扁平面２ａの間隔よりも若干大きい間隔に設定されている。
【００２６】
枠体２１の隔壁２２には第１保持部３０が一体に設けられている。第１保持部３０は、隔壁２２に一体に連なるとともに取出し口１３を貫通して延びる案内底壁３１と、案内底壁３１の先端に一体に連なって取出し口１３の外側において曲がる円弧状の保持壁３２と、保持壁３２及び案内底壁３１の両側に連なる一対の横壁３３とを備えたハーフカップ状に形成されている。保持壁３２の内径は粒状物２の外周面２ｂの直径に略一致しており、一対の横壁３３の間隔は粒状物２の一対の扁平面２ａの間隔よりも若干大きくなっている。上記構成を有する第１保持部３０は、取出し口１３から排出されてきた粒状物２を、その一部を外部に露出させた状態で保持することができる。
【００２７】
枠体２１には、ヒンジ２４を介して回動体２５が一体に連結されている。回動体２５は正面壁１１ａ及び背面壁１１ｂに対して垂直であるとともに側壁１１ｃに対して傾斜した案内壁２５ａを備えている。案内壁２５ａは、一端が一方の側壁１１ｃに隣接し、他端が開孔２３の一方の開口端に隣接するように傾斜しており、収納空間Ｓに収納されている粒状物２を取出し口１３に向けて案内することができる。
【００２８】
また、枠体２１の案内壁２５ａに対向する部分には他の案内壁２６が設けられている。案内壁２６は、一端が他方の側壁１１ｃに隣接し、他端が開孔２３の他方の開口端に隣接するように傾斜している。案内壁２５ａと案内壁２６とにより収納空間Ｓと取出し口１３との間の経路が、取出し口１３に向けて徐々に狭められた形状とされている。これにより、収納空間Ｓに収納されている粒状物２を、案内壁２５ａと案内壁２６とにより案内して取出し口１３にまで確実に導くことができる。
【００２９】
回動体２５には、第２保持部４０が一体に設けられている。第２保持部４０は案内壁２５ａの先端に一体に設けられており、その形状は保持壁３２の側に向く段差面を有する断面略三角形状となっている。第２保持部４０は第１保持部３０よりも収納空間Ｓの側に配置され、第１保持部３０の案内底壁３１に対して当該案内底壁３１に垂直な方向（取出し口１３の開口を狭める方向）に突出している。第２保持部４０は、取出し口１３から排出されて第１保持部３０に保持された粒状物２を係止して、当該粒状物２が収納空間Ｓへ戻り難くすることができる。これにより、案内部材２０は、第１保持部３０と第２保持部４０との間に所定量（本実施の形態では１つ）の粒状物２を保持することができる。
【００３０】
本実施の形態では第１保持部３０と第２保持部４０との間に１つの粒状物２のみを保持可能な構成としている。この場合、第１保持部３０と第２保持部４０との間隔は、粒状物２が第１保持部３０と第２保持部４０の両方に同時に接する間隔としてもよいが、本実施の形態では、当該間隔よりも広い間隔としている。
【００３１】
回動体２５には、案内壁２５ａの第２保持部４０との連接部分から保持壁３２の側に向けて延出する延出壁２５ｂが一体に設けられている。延出壁２５ｂは薄い板状に形成されており、第１保持部３０の案内底壁３１に重ねて配置されている。延出壁２５ｂの案内底壁３１に対して段差状に重なる先端部分は段差部２７を構成している。段差部２７は、第１保持部３０に保持された粒状物２を係止して、当該粒状物２を第２保持部４０の側に移動させることなく第１保持部３０に保持された状態に維持することができる。
【００３２】
なお、回動体２５には、案内壁２５ａから延出壁２５ｂと平行に延びて、その先端が隔壁２２に係止される補強壁２８が一体に設けられている。
【００３３】
図４に示すように、上記構成を有する案内部材２０は、成形型を用いた合成樹脂材料の射出成形によって、回動体２５が枠体２１に対して外側に配置された形状の射出成形品５０を製造し、この射出成形品５０においてヒンジ２４を中心として回動体２５を回動させて枠体２１の内側に配置することで、上記構成に形成されたものとすることができる。上記形状の射出成形品５０は、２分割タイプの成形型を用いた合成樹脂材料によって安価に製造することができる。したがって、当該構成により、案内部材２０の製造コストを低減して、粒状物収納容器１をより安価なものとすることができる。
【００３４】
図１〜図３に示すように、粒状物収納容器１は、蓋体６０を備えた構成とすることもできる。本実施の形態では、キャップ体１２と一体に蓋体６０が設けられている。
【００３５】
蓋体６０はヒンジ６１を介してキャップ体１２に一体に連なっており、ヒンジ６１を中心として、図１、図２に示す閉状態と図３に示す開状態とに回動可能である。蓋体６０は閉状態とされたときに第１保持部３０を覆うカバー部６２を有している。また、カバー部６２の下端側には、蓋体６０が閉状態とされたときに取出し口１３に嵌合して当該取出し口１３を閉塞する閉塞筒部６３が一体に連ねて設けられている。
【００３６】
次に、上記構成を有する粒状物収納容器１から、所定量の粒状物２を取り出す手順について説明する。
【００３７】
まず、図５に示すように、多数の粒状物２を収納空間Ｓに収納している粒状物収納容器１を、蓋体６０を閉状態としたまま、取出し口１３が下方を向くように傾斜させる。粒状物収納容器１が傾斜すると、収納空間Ｓに収納されている粒状物２が自重により案内部材２０に案内されつつ取出し口１３に向けて移動する。最も取出し口１３の側にある粒状物２は、蓋体６０の閉塞筒部６３と第２保持部４０との間に係止され、取出し口１３の手前に保持される。
【００３８】
図５に示す状態から蓋体６０を開くと、図６に示すように、取出し口１３が開放され、最も取出し口１３の側にある粒状物２が取出し口１３から外部に排出されて第１保持部３０に保持される。このとき、収納空間Ｓに収納されている他の粒状物２も自重により取出し口１３の側に移動しようとするが、第１保持部３０に保持されている最先の粒状物２により当該移動が阻止されて取出し口１３の手前側にある。
【００３９】
次に、図７に示すように、粒状物収納容器１を、取出し口１３が若干上方を向く程度に傾斜させる。これにより、収納空間Ｓに収納されている他の粒状物２は自重により収納空間Ｓに戻されるが、第１保持部３０に保持されている粒状物２は、段差部２７により第１保持部３０に保持された状態に維持される。
【００４０】
第１保持部３０は、粒状物２を、その一部を外部に露出させた状態で保持する。したがって、使用者は、第１保持部３０に保持された粒状物２の、第１保持部３０からはみ出して外部に露出する部分を摘んで当該粒状物２を取り出すことができる。このとき、他の粒状物２は収納空間Ｓに収納されており、案内部材２０には配置されていないので、誤って他の粒状物２が排出されることはない。
【００４１】
このように、本実施の形態の粒状物収納容器１によれば、上記した簡単な操作で、第１保持部３０と第２保持部４０との間で粒状物２を計量して、粒状物２を所定量（１つ）ずつ取り出すことができる。
【００４２】
一方、粒状物収納容器１を、取出し口１３が若干上方を向く程度に傾斜させたときに当該傾斜角度が多き過ぎた場合には、第１保持部３０に保持されている粒状物２が段差部２７を超えて収納空間Ｓの側に移動することになる。しかし、この場合においても、当該粒状物２は第２保持部４０によって係止されて第１保持部３０と第２保持部４０との間に保持されることになる。このように、粒状物収納容器１を取り出し口１３が下方を向くように傾斜させて第１保持部３０に保持させた粒状物２は、第２保持部４０により係止されて容易に収納空間Ｓへ戻ることはない。したがって、粒状物２が第１保持部３０から離れて第２保持部４０の側に移動した場合であっても、再度、粒状物収納容器１を取り出し口１３が下方を向くように少し傾斜させることで、粒状物２を第１保持部３０の側に移動させて第１保持部３０に保持させることができる。そして、上記と同様に、第１保持部３０からはみ出して外部に露出する部分を摘んで当該粒状物２を取り出すことができる。
【００４３】
また、本実施の形態の粒状物収納容器１では、案内部材２０を第１保持部３０と第２保持部４０との間に１つの粒状物２のみを保持可能な構成としたので、案内部材２０の構成をより簡素化して、より簡単な操作でより正確に粒状物２を所定量ずつ取り出すことができる。
【００４４】
さらに、本実施の形態の粒状物収納容器１では、第１保持部３０を、円弧状の保持壁３２と一対の横壁３３とを備えたハーフカップ状の構成としたので、扁平円形状の粒状物２の一部をより取り出しやすい形態で外部に露出させることができる。これにより、より簡単な操作で粒状物２を所定量ずつ取り出すことができる。
【００４５】
さらに、本実施の形態の粒状物収納容器１では、第１保持部３０と第２保持部４０との間に段差部２７を設けるようにしたので、第１保持部３０と第２保持部４０との間隔を広めて第１保持部３０と第２保持部４０との間に粒状物２が入り込み易くしつつ、当該粒状物２が第１保持部３０に保持され易くすることができる。これにより、より簡単な操作でより正確に粒状物２を所定量ずつ取り出すことができる。
【００４６】
さらに、本実施の形態の粒状物収納容器１では、案内部材２０に案内壁２５ａ、２６を設けるようにしたので、収納空間Ｓに収納されている粒状物２が確実に取出し口１３に移動することができるようにして、粒状物２をより取り出し易くすることができる。
【００４７】
本発明は前記実施の形態に限定されるものではなく、その要旨を逸脱しない範囲で種々変更可能であることはいうまでもない。
【００４８】
例えば、前記実施の形態においては、粒状物収納容器１を、偏平円形状の粒状物２を収納するものとしたが、これに限らず、例えば球状、角柱状、多角形状等の他の形状の粒状物を収容するものに粒状物収納容器１を構成することもできる。
【００４９】
また、前記実施の形態では、粒状物収納容器１を、粒状物２を１つずつ取り出す構成としたが、取り出す粒状物２の所定量は種々変更可能である。
【００５０】
さらに、第１保持部３０及び第２保持部４０は、それぞれ粒状物２を保持ないし係止することができれば、その形状ないし構成は種々変更可能である。
【符号の説明】
【００５１】
１    粒状物収納容器
２    粒状物
２ａ  扁平面
２ｂ  外周面
１０    容器本体
１１    本体部
１１ａ  正面壁
１１ｂ  背面壁
１１ｃ  側壁
１１ｄ  底壁
１２    キャップ体
１２ａ  嵌合部
１２ｂ  頂壁
１３    取出し口
２０    案内部材
２１    枠体
２１ａ  リブ
２２    隔壁
２３    開孔
２４    ヒンジ
２５    回動体
２５ａ  案内壁
２５ｂ  延出壁
２６    案内壁
２７    段差部
２８    補強壁
３０    第１保持部
３１    案内底壁
３２    保持壁
３３    横壁
４０    第２保持部
５０    射出成形品
６０    蓋体
６１    ヒンジ
６２    カバー部
６３    閉塞筒部
Ｓ    収納空間
【図１】
2020138791.tif 000003
【図２】
2020138791.tif 000004
【図３】
2020138791.tif 000005
【図４】
2020138791.tif 000006
【図５】
2020138791.tif 000007
【図６】
2020138791.tif 000008
【図７】
2020138791.tif 000009